(57)【要約】【課題】血糖測定装置に関するもので、適切な血糖値のコントロールを実施させることを目的とする。【解決手段】血糖測定装置は、人体２に装着される本体ケース５と、前記本体ケース５に設けられ血糖値を測定するセンサ６と、前記センサ６に接続され第１の測定間隔で血糖値を測定する測定部１２と、前記測定部１２に接続された制御部１１と、前記制御部１１に接続され前記測定部１２の測定値を記録する記憶部１４と、前記制御部１１に接続され外部機器と通信する通信部１３と、前記制御部１１に接続され前記本体ケース５を振動させる振動モータ１６と、を備え、前記制御部１１は、前記測定部１２の測定値が基準値以下の場合には低血糖を検出したと判断し、前記振動モータ１６を用いて人体２に装着された前記本体ケース５を所定時間振動させる。【選択図】図３
2020124280.tif 000002
【特許請求の範囲】
【請求項１】
人体に装着される本体ケースと、
前記本体ケースに設けられ血糖値を測定するセンサと、
前記センサに接続され、第１の測定間隔で血糖値を測定する測定部と、
前記測定部に接続された第１の制御部と、
前記第１の制御部に接続され、前記測定部の測定値を記録する記憶部と、
前記第１の制御部に接続され、外部機器と通信する第１の通信部と、
前記第１の制御部に接続され、前記本体ケースを振動させる振動部と、
を備え、
前記第１の制御部は、前記測定部の測定値が基準値以下の場合には低血糖を検出したと判断し、前記振動部を用いて人体に装着された前記本体ケースを所定時間振動させる、
血糖測定装置。
【請求項２】
前記第１の制御部は、前記第１の通信部を介して前記外部機器からの振動命令を受信した時に前記振動部を用いて前記本体ケースを所定時間振動させると共に、前記外部機器からの振動停止命令を受信した時に前記振動部の振動を停止させる、
請求項１に記載の血糖測定装置。
【請求項３】
前記第１の制御部は、低血糖を検出すると、前記測定部の測定間隔を、前記第１の測定間隔よりも短い第２の測定間隔に変更する、
請求項１または２に記載の血糖測定装置。
【請求項４】
請求項１から３のいずれか１つに記載の血糖測定装置と、
前記血糖測定装置と交信する前記外部機器と、
を備え、
前記外部機器は、
前記血糖測定装置の前記第１の通信部と通信する第２の通信部と、
前記第２の通信部に接続された第２の制御部と、
前記第２の制御部に接続された表示部と、
を有し、
前記第２の制御部は、前記表示部に前記血糖測定装置の振動情報を表示する、
血糖測定システム。
【請求項５】
前記第２の制御部は、振動テストモードを有し、
前記振動テストモードでは、前記血糖測定装置の前記本体ケースが夜間に振動されることを示すメッセージが前記表示部に表示される、
請求項４に記載の血糖測定システム。
【請求項６】
前記振動テストモードにおいて、前記第２の制御部は、前記第２の通信部を介して前記振動命令および前記振動停止命令を前記血糖測定装置に送信する、
請求項５に記載の血糖測定システム。
【請求項７】
前記第２の制御部は、低血糖モードを有し、
前記低血糖モードでは、前記低血糖モードであることを示す表示と共に、使用者に低血糖の解消を促すメッセージが前記表示部に表示される、
請求項６に記載の血糖測定システム。
【請求項８】
前記低血糖モードでは、前記表示部に血糖値の推移がグラフ表示され、
前記グラフ表示では、前記低血糖モードになる前の血糖値の推移が固定表示されると共に、前記低血糖モード中に取得された血糖値が固定表示される、
請求項７に記載の血糖測定システム。
【発明の詳細な説明】
【技術分野】
【０００１】
本発明は、例えば、持続血糖測定を行う血糖測定装置、それを用いた血糖測定システムに関するものである。
【背景技術】
【０００２】
従来の血糖測定装置の構成は、以下のようになっていた。
人体に装着される本体ケースと、前記本体ケースに設けられ血糖値を測定するセンサと、前記センサに接続され血糖値を測定する測定部と、前記測定部に接続された制御部と、前記制御部に接続され前記測定部の測定値を記録する記憶部と、を備えている（例えば、先行文献１）。
【０００３】
そして、糖尿病の患者は、血糖値をコントロールするために、血糖測定装置を用いたインスリン療法を行う。このようなインスリン療法を行っている患者は、寝ている時に低血糖状態（以後、夜間低血糖と称する）になる事がある。この夜間低血糖の反動として、早朝に血糖値が上昇する現象、いわゆるソモジー効果が発生することがある。
【０００４】
このため、患者は、例えば朝の血糖値確認時にソモジー効果の有無を確認することで、夜間低血糖の発生有無を確認する。そして、夜間低血糖が発生していた時は、対策を実施して血糖値のコントロールを行う。
【先行技術文献】
【特許文献】
【０００５】
【特許文献１】特表２０１０−５１０８６６号公報
【発明の概要】
【発明が解決しようとする課題】
【０００６】
上記先行文献の血糖測定装置では、適切な血糖値のコントロールが難しかった。
すなわち、患者が寝ている間に夜間低血糖が発生するので、従来の血糖測定装置では夜間低血糖が発生した時に対策を実施することが難しく、その結果、適切な血糖値のコントロールが難しかった。
【０００７】
そこで、本発明は、適切な血糖値のコントロールを実施させることを目的とする。
【課題を解決するための手段】
【０００８】
この目的を達成するために本発明の血糖測定装置は、人体に装着される本体ケースと、前記本体ケースに設けられ血糖値を測定するセンサと、前記センサに接続され第１の測定間隔で血糖値を測定する測定部と、前記測定部に接続された第１の制御部と、前記第１の制御部に接続され前記測定部の測定値を記録する記憶部と、前記第１の制御部に接続され外部機器と通信する第１の通信部と、前記第１の制御部に接続され前記本体ケースを振動させる振動部と、を備えている。前記第１の制御部は、前記測定部の測定値が基準値以下の場合には低血糖を検出したと判断し、前記振動部を用いて人体に装着された前記本体ケースを所定時間振動させる。
この構成により所期の目的を達成する。
【発明の効果】
【０００９】
本発明の血糖測定装置では、測定部の測定値が基準値以下の場合には低血糖を検出したと判断し、振動部を用いて人体に装着された本体ケースを所定時間振動させる。
このため、患者が寝ている間に夜間低血糖が発生した時には、患者が一日中人体（皮膚）に装着している血糖測定装置が振動する。患者は、皮膚に直接伝わって来る振動によって目覚めることができる。
【００１０】
そして、目覚めた患者は、適切な夜間低血糖対策を実施することができるので、夜間低血糖が発生した直後に低血糖状態が解消され、翌朝のソモジー効果を抑制できる。
その結果として、適切な血糖値のコントロールが実施できる。
【図面の簡単な説明】
【００１１】
【図１】本発明の一実施形態に係る装置本発明の実施の形態１に係る血糖測定システムの使用状態を示す斜視図。
【図２】図１の血糖測定装置の分解斜視図。
【図３】図１の血糖測定装置の電気的接続を示すブロック図。
【図４】図１の携帯電話の電気的接続を示すブロック図。
【図５】図１の血糖測定装置および外部機器の動作フローチャート。
【図６】図１の携帯電話における表示部の表示を示す図。
【図７】図１の血糖測定装置の動作フローチャート。
【図８】図１の携帯電話の動作フローチャート。
【図９】図１の携帯電話における表示部の表示を示す図。
【図１０】図１の携帯電話における表示部の表示を示す図。
【図１１】図１の携帯電話における表示部の表示を示す図。
【発明を実施するための形態】
【００１２】
以下に、本発明の一実施形態を、図面とともに詳細に説明する。
（実施の形態１）
図１は、血糖測定システム３の使用状態を示す図である。血糖測定装置１は、人体２（例えば患者の上腕部の皮膚）に装着されている。血糖測定装置１は携帯電話４（外部機器の一例）と交信する。本実施形態では、血糖測定装置１および携帯電話４により、血糖測定システム３が構成される。
【００１３】
血糖測定装置１は、円盤状の本体ケース５を備えている。本体ケース５の人体２側で、センサ６（図２参照）が人体２内に留置されている。この状態で、血糖測定装置１により持続血糖測定が行われる。例えば、１分おきに２週間継続して血糖値が測定され、測定された血糖値が携帯電話４に送信される。これにより、血糖状態の傾向や、寝ている時の血糖状態を把握することができる。
【００１４】
図２は、血糖測定装置１の分解斜視図である。
血糖測定装置１は、センサベース７と、トランスミッタ８とを備えている。円筒状のセンサベース７の上面開口部９に、円盤状のトランスミッタ８が着脱自在に装着される。
【００１５】
センサベース７は円筒状の本体ケース５ａを備え、トランスミッタ８は円盤状の本体ケース５ｂを備えている。本体ケース５ａおよび本体ケース５ｂにより、血糖測定装置１の本体ケース５が形成される。
【００１６】
図３は、血糖測定装置１の電気的接続を示すブロック図である。
センサベース７は、センサ６および電池１０を備えている。
トランスミッタ８は、制御部１１を備えている。制御部１１には、センサ６を用いて血糖値を測定する測定部１２、携帯電話４と通信する通信部１３、測定部１２が測定した血糖値を記録する記憶部１４、測定部１２の測定間隔を計測する時計１５、本体ケース５を振動させる振動モータ１６（振動部の一例）が電気的に接続されている。
【００１７】
そして、センサベース７にトランスミッタ８が装着されると、センサ６が測定部１２に電気的に接続され、電池１０が制御部１１に電気的に接続される。電池１０は、制御部１１に接続された各部品に電力を供給する。制御部１１の制御プログラムは、記憶部１４に記憶されている。
【００１８】
なお、振動モータ１６が振動すると本体ケース５が振動し、振動モータ１６が停止すると本体ケース５の振動が停止する構成となっている。
図４は、携帯電話４の電気的接続を示すブロック図である。
【００１９】
携帯電話４は、その表面に表示部１７を有している（図１参照）。表示部１７は、制御部１８に接続されている。制御部１８には、患者の命令を入力する入力部１９、制御部１８に接続された各部品に電力を供給する電池２０、血糖測定装置１の通信部１３と通信する通信部２１、通信部２１を介して受け取った血糖値を保存する記憶部２２が電気的に接続されている。制御部１８の制御プログラムは、記憶部２２に記憶されている。血糖管理を行うための血糖管理アプリケーションが記憶部２２に記憶されている。なお、表示部１７はタッチパネルで構成され、表示部１７に表示された操作ボタンが患者によって操作される。
【００２０】
本実施形態の血糖測定システム３は、患者が寝ている間に発生する夜間低血糖に対応するものであって、患者に適切な血糖値のコントロールを実施させることを目的とする。
以下に詳細に説明する。
【００２１】
図５は、血糖測定システム３の起動時の動作フローチャートである。
血糖測定装置１は制御部１１によって動作制御され、携帯電話４は制御部１８によって動作制御される。
【００２２】
患者は、血糖測定システム３を使用する時には、先ず、血糖測定装置１を、装着装置（図示せず）を用いて人体２に装着する（図１参照）。次に、患者は、携帯電話４の血糖管理アプリケーションを起動させる（図５のＫ１）。
【００２３】
血糖管理アプリケーションが起動されると、携帯電話４と血糖測定装置１のペアリングが開始される。ペアリングが成功すると、携帯電話４と血糖測定装置１とは１対１の通信が可能になる（図５のＫ２〜Ｋ３、図５のＳ１）。
【００２４】
次に、携帯電話４は、制御部１８が血糖測定装置１の本体ケース５を振動させる振動テストモードを実施する。振動テストモードで、制御部１８は、表示部１７に、図６に示すように、振動テスト画面を表示する（図５のＫ４）。表示部１７には、血糖測定装置１の振動情報が表示され、この表示によって患者に血糖測定装置１の振動を認識させる。
【００２５】
具体的に説明すると、図６の振動テスト画面には、「この製品は、夜間低血糖を検出すると体に装着したセンサ装置が振動します。」というメッセージが表示される。この表示により、患者は、寝ている間に低血糖が発生した場合には、血糖測定装置１が振動することを認識できる。
【００２６】
さらに、「振動後は、スマートフォンでこのアプリケーションを起動して血糖値を確認すると共に、医師の指示に従い血糖値を上げてください。」というメッセージが表示される。この表示により、患者は、血糖測定装置１が振動した時の対応を認識できる。
【００２７】
また、「また、振動は暫くすると一旦止まりますが、再度低血糖を検知すると振動することもあります。」というメッセージが表示される。この表示により、患者は、血糖測定装置１が繰り返し振動する場合があることを認識できる。
【００２８】
さらに、「血糖値確認画面の「振動を止める」ボタンを押しても振動を止めることができます。」というメッセージが表示される。この表示により、患者は、携帯電話４を用いて血糖測定装置１の振動を止めることができることを認識できる。
【００２９】
そして、「では振動の確認テストを行ってみましょう。」というメッセージが表示され、患者に確認テストを促す。
患者により「振動テスト」と表示された操作ボタン２３が操作されると、制御部１８は、操作ボタン２３の表示を「振動を止める」に変更する。そして、血糖測定装置１に振動命令を送信する（図５のＫ５〜Ｋ７）。
【００３０】
血糖測定装置１では、携帯電話４からの振動命令を受信すると、制御部１１は振動モータ１６を振動させる（図５のＳ２〜Ｓ３）。振動モータ１６が振動すると、人体２に装着された本体ケース５が振動する。このため、患者は、寝ている間に夜間低血糖が発生した時に発生する振動を、予め体験することができる。
【００３１】
振動を体験した後に、患者によって「振動を止める」と表示された操作ボタン２３が操作されると、携帯電話４の制御部１８は、血糖測定装置１に振動停止命令を送信し、振動テストモードを終了する（図５のＫ８、Ｋ９）。
【００３２】
血糖測定装置１では、携帯電話４からの振動停止命令を受信すると、制御部１１は振動モータ１６を停止させる。振動モータ１６が停止すると、本体ケース５の振動が停止する。また、制御部１１は、振動が一定時間（例えば３０秒）継続された時も、振動モータ１６を停止させる（図５のＳ４〜Ｓ５）。
【００３３】
すなわち、本実施形態の血糖測定システム３は、振動テストモードにおいて、患者が寝ている間に振動することを表示部１７に表示させて患者に振動を認識させると共に、実際に血糖測定装置１を振動させて患者に振動を体験させる。
【００３４】
このため、患者は、寝ている間に血糖測定装置１が振動すると、「対応しなければいけない状態となった」と、目覚めることができる。
振動テストモードが終了すると、血糖測定装置１は、例えば、１分毎の血糖測定を開始し測定された血糖値を携帯電話４に送信する。
【００３５】
図７は、血糖測定を開始した血糖測定装置１の動作フローチャートである。
血糖測定装置１は、通常は消費電力を抑制するために所謂スリープ状態になっており、測定のため１分間隔で起動する。
【００３６】
血糖測定装置１が起動すると、制御部１１は、測定部１２を用いて血糖値を測定し、測定した血糖値を記憶部１４に保存する（図７のＳ１、Ｓ２）。
この時、携帯電話４の血糖管理アプリケーションが起動していれば、制御部１１は、通信部１３を携帯電話４の通信部２１に接続させ、記憶部１４内の全ての未送信血糖値を携帯電話４に送信する（図７のＳ３、Ｓ４）。
【００３７】
その後、今回測定された血糖値と低血糖を示す基準値（例えば、８０ｍｇ／ｄＬ）とを比較する。そして、測定された血糖値が基準値よりも低い時には、低血糖を検出したと判断する（図７のＳ５）。
【００３８】
制御部１１は、前回振動モータ１６を振動させてから、つまり患者に低血糖を知らせてから一定の基準時間（例えば、１５分）経過しているか否かを判定する（図７のＳ６）。
基準時間を経過している時には、血糖測定装置１は、患者に低血糖を知らせるために、低血糖測定モードを実施する。
【００３９】
低血糖測定モードで、制御部１１は、先ず、測定部１２の測定間隔を、通常の測定間隔（例えば、１分間隔）よりも短い間隔（例えば、３０秒間隔）に変更する（図７のＳ７）。
【００４０】
次に、振動モータ１６を振動させて、本体ケース５を振動させる（図７のＳ８）。この振動により、眠っている患者を目覚めさせる。
制御部１１は、所定の時間（例えば１５秒）振動を継続し、携帯電話４からの接続を待つ（図７のＳ９、Ｓ１０）。携帯電話４が接続されると、記憶部１４内の全ての未送信血糖値を携帯電話４に送信する。そして、携帯電話４に振動中であることを通知し、携帯電話４からの振動停止命令を待ち受ける（図７のＳ１１〜Ｓ１４）。制御部１１は、図７のＳ９〜Ｓ１４の処理を繰り返し、携帯電話４からの振動停止命令を待ち受ける。
【００４１】
一方、振動によって目覚めた患者は、血糖値を確認するために、携帯電話４の血糖管理アプリケーションを起動する。
図８は、携帯電話４の動作フローチャートである。
【００４２】
血糖管理アプリケーションが起動されると（図８のＫ１）、携帯電話４の制御部１８は、血糖測定装置１から血糖値を受信する（図８のＫ２）。そして、最新の血糖値が低血糖を示す基準値（例えば８０ｍｇ／ｄＬ）よりも低い時には、血糖測定装置１が低血糖を検出したと判断し、患者の低血糖状態に対応するために、低血糖モードを実施する（図８のＫ３）。
【００４３】
低血糖モードで、制御部１８は、血糖測定装置１から振動中であることを示す情報を受信すると、図９に示すように、低血糖検知画面を表示部１７に表示する（図８のＫ４〜Ｋ６）。
【００４４】
図９の低血糖検知画面には、例えば、現在の低血糖が「６５」と表示され、「低血糖」と注意表示されている。「低血糖」の表示は、低血糖モードであることを示す。
そして、「低血糖を検知しています。医師から指示された方法で、血糖値を上げてください。」というメッセージが、患者に対応を促すために表示されている。この表示により、患者は、低血糖の対応を行うことができる。
【００４５】
また、「体につけたセンサ装置の振動は画面下の「振動を止める」ボタンで停止することができます。」というメッセージが、振動を停止させるために表示される。このため、患者は、振動テストモードで体験したように、携帯電話４で振動を止めることができる。
【００４６】
また、血糖測定装置１の動作に関して、「低血糖状態が改善されない場合は、再度振動を始めます。」というメッセージが表示される。このため、患者は、今後の血糖測定装置１の動作を理解できる。
【００４７】
さらに、血糖値の遷移を示す血糖値グラフ２４が表示される。この血糖値グラフ２４は、夜中の２時に血糖値が８０以下になった、つまり、夜間低血糖になったことを示している。また、「振動を止める」と表示された操作ボタン２３が表示される。
【００４８】
制御部１８は、図８のＫ４〜Ｋ７の処理を繰り返し、患者の操作を待つ。
そして、患者により操作ボタン２３が操作されると、携帯電話４から血糖測定装置１に振動停止命令が送信される（図８のＫ８）。
【００４９】
血糖測定装置１では、振動停止命令を受信すると、制御部１１が振動モータ１６を停止させ、これにより本体ケース５の振動を停止させる。その後、携帯電話４に振動停止を通知し、スリープ状態に遷移する（図７のＳ１４〜Ｓ１７）。
【００５０】
なお、図７のＳ９で、振動モータ１６が１５秒間振動したことを検出すると、図７のＳ１５に遷移して振動モータ１６を停止させる。また、図７のＳ６で、前回振動モータ１６を振動させてから、つまり患者に低血糖状態を知らせてから一定の基準時間（例えば、１５分）経過していない時、制御部１１は図７のＳ１５に遷移してスリープ状態に遷移する。
【００５１】
スリープ状態において低血糖測定モードが継続されている時は、血糖測定装置１は通常の測定間隔（例えば、１分間隔）よりも短い間隔（例えば、３０秒間隔）で起動されて、血糖値を測定する。
【００５２】
一方、携帯電話４では、図８のＫ８で血糖測定装置１に振動停止命令を送信した後、または、図８のＫ５で振動モータ１６の振動を検出できない時は、図９に示す低血糖検知画面で、「振動を止める」と表示された操作ボタン２３を非表示にする。
【００５３】
そして、患者は、図９に示された「低血糖を検知しています。医師から指示された方法で、血糖値を上げてください。」の表示に従って、低血糖の対応を行う。例えば、患者は、医師から処方されたブドウ糖を摂取する。患者が低血糖対策を行うと、例えば、１５分かけて血糖値が正常に戻る。患者は、血糖値グラフ２４を見て低血糖状態が徐々に解消されていくことを確認する。
【００５４】
携帯電話４は、図１０に示すように、低血糖回復待ち画面を表示させ、３０秒毎に血糖測定装置１から送られてくる血糖値データを受け取り、最新の血糖値が正常か否かを判断する（図８のＫ９〜Ｋ１１）。
【００５５】
最新の血糖値が未だ低血糖である時には、図１０の低血糖回復待ち画面が更新される。図１０の低血糖回復待ち画面では、例えば、現在の低血糖が「７０」と表示されており、患者が低血糖の対策を行った結果、血糖値が上昇している。「低血糖」の表示は、低血糖モードであることを示している。
【００５６】
そして、低血糖にまだ対応していない患者に対して、「低血糖を検知しています。医師から指示された方法で、血糖値を上げてください。」というメッセージが、対応を促すために表示されている。また、血糖測定装置１の動作として、「低血糖状態が改善されない場合は、再度振動を始めます。」というメッセージが表示される。
【００５７】
図１０の低血糖回復待ち画面には、血糖値グラフ２４が表示される。血糖値グラフ２４では、夜中の２時に基準値（８０ｍｇ／ｄＬ）を下回った血糖値が徐々に上昇し、２時１０分の段階で７０（ｍｇ／ｄＬ）に回復した状態となっている。
【００５８】
患者は、血糖値グラフ２４を見て、血糖値の上昇を確認する。
そして、携帯電話４は、図８のＫ１１で、血糖値が基準値（８０ｍｇ／ｄＬ）より高くなると、血糖値が正常範囲に戻ったと判断し、低血糖モードを終了する。低血糖モードが終了すると、図１１に示すように、通常の血糖測定画面が表示される（図８のＫ１２〜Ｋ１３）。
【００５９】
図１１の血糖測定画面では、現在の血糖値が「９６」と表示され、現在時刻が２時２０分と表示されている。血糖値グラフ２５は、今後測定される血糖値が右端に挿入される。
一方、血糖測定装置１においては、図７のＳ５で、血糖値が基準値（８０ｍｇ／ｄＬ）より高くなると、血糖値が正常範囲に戻ったと判断し、低血糖測定モードを終了する。そして、測定間隔を、通常の測定間隔である１分間隔に戻して（図７のＳ１８）、スリープ状態に遷移する（図７のＳ１７）。
【００６０】
以上のように本実施形態の血糖測定装置１において、制御部１１は、測定部１２が測定した血糖値が基準値以下の場合には低血糖を検出したと判断し、振動モータ１６を用いて人体に装着された本体ケース５を所定時間振動させる。
【００６１】
このため、患者が寝ている間に夜間低血糖が発生した時には、患者が一日中人体（例えば、皮膚）に装着している血糖測定装置１が振動する。患者は皮膚に直接伝わって来る振動により目覚めることができる。
【００６２】
そして目覚めた患者は適切な夜間低血糖対策を実施できるので、夜間低血糖が発生した直後に低血糖状態が解消され、翌朝のソモジー効果を抑制できる。
その結果として、適切な血糖値のコントロールが実施できる。
【００６３】
さらに本実施形態の血糖測定装置１において、制御部１１は、通信部１３を介して携帯電話４からの振動命令を受信した時に振動モータ１６を用いて本体ケース５を所定時間振動させると共に、携帯電話４からの振動停止命令を受信した時に振動モータの振動を停止させる、構成としている。
【００６４】
このため、患者は、携帯電話４を用いて振動テストを実施できるので、振動を体験できる。したがって、寝ている時に血糖測定装置１が振動すると、この振動は体験したものなので、患者は皮膚に直接伝わって来る振動により目覚めることができる。
【００６５】
さらにまた本実施形態の血糖測定装置１において、制御部１１は、低血糖測定モードを有し、この低血糖測定モードにおいては、測定部１２の測定間隔を、通常の測定間隔（例えば、１分間隔）よりも短い間隔（例えば、３０秒間隔）に変更する。
【００６６】
このため、患者は、夜間に起きて低血糖対策を行った時に、その効果、つまり血糖値が上昇していく様子を適切に確認できる。
さらにまた、本実施形態の血糖測定システム３において、携帯電話４の制御部１８は、夜間低血糖に対応する低血糖モードを有している。
【００６７】
低血糖モードでは、図９、図１０に示すように、血糖値の推移が血糖値グラフ２４に表示される。血糖値グラフ２４では、低血糖モードになる前の血糖値の推移がエリア２４ａに固定表示される。このエリア２４ａの表示は、低血糖モード中は固定される。
【００６８】
そして、図１０に示すように、低血糖モード中に取得された血糖値は、血糖値グラフ２４のエリア２４ｂに追加表示される。エリア２４ｂに追加された血糖値の表示は、血糖管理モード中は固定される。
【００６９】
このため、患者は、夜間に起きて低血糖対策を行った後に、エリア２４ａに示される低血糖になった様子から、エリア２４ｂに示される血糖値が回復していく様子を確認できる。
【産業上の利用可能性】
【００７０】
本発明は、例えば、持続血糖測定を行う血糖測定装置、それを用いた血糖測定システムとして活用が期待される。
【符号の説明】
【００７１】
１      血糖測定装置
２      人体
３      血糖測定システム
４      携帯電話（外部機器の一例）
５      本体ケース
５ａ    本体ケース
５ｂ    本体ケース
６      センサ
７      センサベース
８      トランスミッタ
９      上面開口部
１０      電池
１１      制御部
１２      測定部
１３      通信部
１４      記憶部
１５      時計
１６      振動モータ（振動部の一例）
１７      表示部
１８      制御部
１９      入力部
２０      電池
２１      通信部
２２      記憶部
２３      操作ボタン
２４      血糖値グラフ
２４ａ    エリア
２４ｂ    エリア
２５      血糖値グラフ
【図１】
2020124280.tif 000003
【図２】
2020124280.tif 000004
【図３】
2020124280.tif 000005
【図４】
2020124280.tif 000006
【図５】
2020124280.tif 000007
【図６】
2020124280.tif 000008
【図７】
2020124280.tif 000009
【図８】
2020124280.tif 000010
【図９】
2020124280.tif 000011
【図１０】
2020124280.tif 000012
【図１１】
2020124280.tif 000013